(57)【要約】【課題】従来のブレースダンパーに対し、力学性能を向上させることができ、組み立てを容易に行うことができ、設置時に美観を損ねることがなく、さらに、ブレースダンパーの長さの調整に柔軟に対応することが可能なブレースダンパーを提供する。【解決手段】ダンパー本体部１を、第１Ｈ形鋼３のウェブ３ａを挟んで両側にそれぞれ鋼板４を積層し、鋼板４の座屈を防止するための一対の補剛部材５を、鋼板４と第１Ｈ形鋼３のウェブ３ａを挟み込むように且つ第１Ｈ形鋼３の上下のフランジの間に収めて積層し、鋼板４と第１Ｈ形鋼３のウェブ３ａの間及び鋼板４と補剛部材５の間にそれぞれ粘弾性体６を介装して構成する。また、ダンパー本体部１の他端部側に、一対の鋼板４の他端部４ｄ側の間にウェブ７ａを挿入し、このウェブ７ａを一対の鋼板４の他端部４ｄ側に繋げて、第２Ｈ形鋼７を設ける。【選択図】図３
2010127053.tif 000002
【特許請求の範囲】
【請求項１】
建物の架構内に架設して該建物に作用した振動エネルギーを減衰させるためのブレースダンパーであって、
ダンパー本体部が、第１Ｈ形鋼のウェブを挟んで両側にそれぞれ鋼板を積層し、前記鋼板の座屈を防止するための一対の補剛部材を前記鋼板と前記第１Ｈ形鋼のウェブを挟み込むように且つ前記第１Ｈ形鋼の上下のフランジの間に収めて積層し、前記鋼板と前記第１Ｈ形鋼のウェブの間及び前記鋼板と前記補剛部材の間にそれぞれ粘弾性体を介装して構成され、
前記補剛部材は、一端部を前記第１Ｈ形鋼の一端部よりも軸線方向内側に、他端部を前記第１Ｈ形鋼の他端部よりも軸線方向外側に配して設けられるとともに、前記一端部側を前記第１Ｈ形鋼のウェブに繋げて設けられ、
前記鋼板は、一端部を前記補剛部材の一端部よりも軸線方向内側に、他端部を前記補剛部材の他端部よりも軸線方向外側に配して設けられており、
前記ダンパー本体部の他端部側には、第２Ｈ形鋼が、前記一対の鋼板の他端部側の間にウェブを挿入し、該ウェブを前記一対の鋼板の他端部側に繋げて設けられていることを特徴とするブレースダンパー。
【請求項２】
請求項１記載のブレースダンパーにおいて、
前記第１Ｈ形鋼の一端部側及び／又は前記第２Ｈ形鋼の他端部側に繋げて、Ｈ形鋼からなる長さ調整部材が設けられていることを特徴とするブレースダンパー。
【発明の詳細な説明】
【技術分野】
【０００１】
本発明は、建物の架構内に架設してこの建物に作用した振動エネルギーを減衰させるためのブレースダンパーに関する。
【背景技術】
【０００２】
従来、地震や強風等の外乱によって建物に作用した振動エネルギーを吸収して減衰させ、建物に制振性能を付与するために、建物の架構内にブレースダンパーを架設することが行われている。
【０００３】
この種のブレースダンパーには、特許文献１に開示されるように、一対の溝形鋼（補剛部材）がフランジ部を互いに外方に向けウェブを対面させた状態で離間して配設され、互いのウェブの間に奇数枚の複数の鋼板（プレート）を平行に且つ間隔をあけて積層し、さらに溝形鋼と最外方の鋼板（最外鋼板）の間、及び隣り合う鋼板の間にそれぞれ粘弾性体を介装して構成したものがある。また、ブレースダンパーの軸線方向両端部側には、本体プレートにリブプレートを接続して断面十字状に形成した連結部材（接合部材）がそれぞれ設けられており、一方の連結部材を一対の溝形鋼と複数の鋼板のうち１枚おきに配された鋼板のそれぞれの一端部に接続し、他方の連結部材を残りの鋼板の他端部に接続して構成されている。
【０００４】
このように構成したブレースダンパーは、一対の連結部材を建物の架構に連結（接合）することによって架構内に架設され、建物に振動エネルギーが作用し架構が相対変位するとともに、溝形鋼と最外鋼板、及び隣り合う鋼板同士が互いにブレースダンパーの軸線方向に相対変位する。そして、溝形鋼と最外鋼板の間及び隣り合う鋼板の間にそれぞれ介装した粘弾性体がせん断変形しながら振動エネルギーを吸収して減衰させる。
【０００５】
また、このとき、複数の鋼板と粘弾性体を挟み込むように設けられた一対の溝形鋼によって、鋼板の座屈が防止されている。
【特許文献１】特開平１０−２２００６２号公報
【発明の開示】
【発明が解決しようとする課題】
【０００６】
しかしながら、上記従来のブレースダンパーにおいては、一対の溝形鋼がフランジ部を互いに外方に向けウェブを対面させた状態、すなわち一対の溝形鋼が背中合わせに配された状態で設けられ、さらに連結部材が断面十字状に形成されているため、部品の点数が多く、面外リブを溶接する必要もあり、組み立て工程数が多くなるという問題があった。また、ブレースダンパーが複雑な形状となり、建物の架構内に設置した際に美観を損ねるおそれがあった。
【０００７】
さらに、鋼板の座屈に対する剛性（力学性能）を向上させることも望まれていた。
【０００８】
一方、同一の建物であってもブレースダンパーを設置する階の階高やスパンが異なり、ブレースダンパーを接合する建物の架構の間隔が異なる場合がある。そして、上記従来のブレースダンパーにおいては、連結部材が断面十字状に形成され、リブプレートによって面外剛性を確保するようにしている。このため、連結部材の長さを調整してブレースダンパーを建物の架構の間隔に応じた長さに調整することが面外剛性を確保する上で難しいという問題もあった。
【０００９】
本発明は、上記事情に鑑み、従来のブレースダンパーに対し、力学性能を向上させることができ、組み立てを容易に行うことができ、設置時に美観を損ねることがなく、さらに、ブレースダンパーの長さの調整に柔軟に対応することが可能なブレースダンパーを提供することを目的とする。
【課題を解決するための手段】
【００１０】
上記の目的を達するために、この発明は以下の手段を提供している。
【００１１】
本発明のブレースダンパーは、建物の架構内に架設して該建物に作用した振動エネルギーを減衰させるためのブレースダンパーであって、ダンパー本体部が、第１Ｈ形鋼のウェブを挟んで両側にそれぞれ鋼板を積層し、前記鋼板の座屈を防止するための一対の補剛部材を前記鋼板と前記第１Ｈ形鋼のウェブを挟み込むように且つ前記第１Ｈ形鋼の上下のフランジの間に収めて積層し、前記鋼板と前記第１Ｈ形鋼のウェブの間及び前記鋼板と前記補剛部材の間にそれぞれ粘弾性体を介装して構成され、前記補剛部材は、一端部を前記第１Ｈ形鋼の一端部よりも軸線方向内側に、他端部を前記第１Ｈ形鋼の他端部よりも軸線方向外側に配して設けられるとともに、前記一端部側を前記第１Ｈ形鋼のウェブに繋げて設けられ、前記鋼板は、一端部を前記補剛部材の一端部よりも軸線方向内側に、他端部を前記補剛部材の他端部よりも軸線方向外側に配して設けられており、前記ダンパー本体部の他端部側には、第２Ｈ形鋼が、前記一対の鋼板の他端部側の間にウェブを挿入し、該ウェブを前記一対の鋼板の他端部側に繋げて設けられていることを特徴とする。
【００１２】
この発明においては、第１Ｈ形鋼のウェブを挟み込むように鋼板と補剛部材が設けられているため、補剛部材に加えて第１Ｈ形鋼によっても座屈に対する剛性を確保することが可能になる。これにより、従来のブレースダンパーと比較して確実に力学性能を向上させることが可能になる。
【００１３】
また、鋼板及び補剛部材を第１Ｈ形鋼の上下のフランジの間に収めてブレースダンパー（ダンパー本体部）を構成することで、組立時に、第１Ｈ形鋼の上下のフランジの間に挿入して鋼板や補剛部材の位置決めを行うことができる。さらに、一対の鋼板の他端部側の間にウェブを挿入して第２Ｈ形鋼の位置決めを行うことができる。また、鋼板及び補剛部材を第１Ｈ形鋼の上下のフランジの間に収めてブレースダンパーを構成し、さらに、Ｈ形鋼（第１Ｈ形鋼と第２Ｈ形鋼）を主要部材に用いることで、従来のブレースダンパーと比較して、部材点数を少なくすることができるとともに見栄えをよくすることができる。
【００１４】
また、一対の補剛部材の一端部よりも軸線方向外側に延出する第１Ｈ形鋼の一端部側の長さ（第１Ｈ形鋼の長さ）、及び／又は一対の鋼板の他端部よりも軸線方向外側に延出する第２Ｈ形鋼の他端部側の長さ（第２Ｈ形鋼の長さ）を調整することで、建物の架構の間隔に応じてブレースダンパーの長さを容易に調整することが可能である。
【００１５】
また、本発明のブレースダンパーにおいては、前記第１Ｈ形鋼の一端部側及び／又は前記第２Ｈ形鋼の他端部側に繋げて、Ｈ形鋼からなる長さ調整部材が設けられていることが望ましい。
【００１６】
この発明においては、ダンパー本体部の長さを変えずに長さ調整部材を取り付けることによって、建物の架構の間隔に応じて容易にブレースダンパーの長さを調整することが可能になる。また、長さ調整部材がＨ形鋼であるため、ブレースダンパーの見栄えがよく、建物の架構内に設置した際に美観を損ねるおそれもない。
【発明の効果】
【００１７】
本発明のブレースダンパーによれば、補剛部材に加えて第１Ｈ形鋼によっても座屈に対する剛性を確保することが可能になり、従来のブレースダンパーと比較して確実に力学性能を向上させることが可能になる。
【００１８】
また、組立時に、第１Ｈ形鋼の上下のフランジの間に挿入して鋼板や補剛部材の位置決めを行い、一対の鋼板の他端部側の間にウェブを挿入して第２Ｈ形鋼の位置決めを行うことができる。さらに、鋼板及び補剛部材を第１Ｈ形鋼の上下のフランジの間に収めてブレースダンパーを構成し、Ｈ形鋼（第１Ｈ形鋼と第２Ｈ形鋼）を主要部材に用いることで、従来のブレースダンパーと比較し、部材点数を少なくすることができるとともに見栄えをよくすることができる。これにより、容易にブレースダンパーを組み立てることが可能になるとともに、建物の架構内に設置した際に美観を損ねるおそれを解消することが可能になる。
【００１９】
また、第１Ｈ形鋼の長さや第２Ｈ形鋼の他端部側の長さを調整したり、ダンパー本体部の長さを変えずに長さ調整部材を取り付けることで、美観を損ねることなく、容易にブレースダンパーの長さを調整することが可能になる。
【発明を実施するための最良の形態】
【００２０】
以下、図１から図４を参照し、本発明の一実施形態に係るブレースダンパーについて説明する。本実施形態は、例えば地震時に建物に作用した振動エネルギーを吸収して減衰させ、建物の揺れを抑えるためのブレースダンパーに関するものである。
【００２１】
本実施形態のブレースダンパーＡは、図１から図４に示すように、建物に作用した振動エネルギーを吸収して減衰させるダンパー本体部１と、建物に接続して架構内にダンパー本体部１（ブレースダンパーＡ）を架設するための接合部２とを備えて構成されている。
【００２２】
本実施形態のダンパー本体部１は、第１Ｈ形鋼３と、２枚の鋼板４（４ａ、４ｂ）と、一対の溝形鋼５（一対の補剛部材５ａ、５ｂ）と、アスファルト系ゴムや超塑性ゴムなどの粘弾性体６と、第２Ｈ形鋼７とを備えて構成されている。
【００２３】
そして、第１Ｈ形鋼３は、ブレースダンパーＡの軸線Ｏ１に沿って延設され、この第１Ｈ形鋼３のウェブ３ａを挟んで両側にそれぞれ、矩形平板状の鋼板４が軸線Ｏ１に沿って平行に、且つウェブ３ａとの間に間隔をあけて積層されている。また、一対の溝形鋼５（５ａ、５ｂ）は、鋼板４（４ａ、４ｂ）の座屈を防止するためのものであり、軸線Ｏ１に沿って平行に配設され、鋼板４と第１Ｈ形鋼３のウェブ３ａを挟み込むように背中合わせに、且つ第１Ｈ形鋼３の上下のフランジ３ｂ、３ｃの間に収めて積層されている。さらに、粘弾性体６は、鋼板４と第１Ｈ形鋼３のウェブ３ａの間、及び鋼板４と溝形鋼５の間にそれぞれ介装されている。
【００２４】
また、このとき、溝形鋼５は、一端部５ｃを第１Ｈ形鋼３の一端部３ｄよりも軸線Ｏ１方向内側に配し、他端部５ｄを第１Ｈ形鋼３の他端部３ｅよりも軸線Ｏ１方向外側に配して設けられている。鋼板４は、一端部４ｃを溝形鋼５の一端部５ｃよりも軸線Ｏ１方向内側に配し、他端部４ｄを溝形鋼５の他端部５ｄよりも軸線Ｏ１方向外側に配して設けられている。
【００２５】
また、溝形鋼５は、図３に示すように、一端部５ｃ側と第１Ｈ形鋼３のウェブ３ａの一端部３ｄ側の間に介装部材８を介装し、ボルトとナットを締結することで、一端部５ｃ側が介装部材８を介して第１Ｈ形鋼３の一端部３ｄ側に一体に繋げられている。このとき、介装部材８は、その一端部８ａが溝形鋼５の一端部５ｃと軸線Ｏ１方向の同位置に配され、他端部８ｂと鋼板４の一端部４ｃの間に所定の隙間Ｈをあけて設けられている。また、溝形鋼５は、図１から図４に示すように、フランジ部５ｅ、５ｆが第１Ｈ形鋼３のフランジ３ｂ、３ｃにボルトとナットで一体に繋げられている。
【００２６】
第２Ｈ形鋼７は、第１Ｈ形鋼３と断面形状が同形同大に形成されており、ダンパー本体部１の他端部側に、第１Ｈ形鋼３と互いの軸線Ｏ１を同軸上に配して設けられている。また、第２Ｈ形鋼７は、一対の鋼板４（４ａ、４ｂ）の他端部４ｄ側の間にウェブ７ａを挿入し、フランジ７ｂ、７ｃを第１Ｈ形鋼３のフランジ３ｂ、３ｃとそれぞれ同一高さ位置に配した状態で、且つ一端部７ｄと第１Ｈ形鋼３の他端部３ｅとの間に所定の隙間Ｈをあけた状態で配設されている。これにより、第２Ｈ形鋼７は、その上下のフランジ７ｂ、７ｃの間に鋼板４と溝形鋼５の他端部４ｄ、５ｄ側を収めた状態で設けられている。また、この第２Ｈ形鋼７は、図３に示すように、ウェブ７ａと鋼板４の間に介装部材９を介装し、ボルトとナットを締結することで、介装部材９を介してウェブ７ａが一対の鋼板４（４ａ、４ｂ）の他端部４ｄ側に一体に繋げられている。
【００２７】
一方、接合部２は、図１から図３に示すように、第１Ｈ形鋼３及び第２Ｈ形鋼７と断面形状が同形同大のＨ形鋼であり、その端部２ａ側が第１Ｈ形鋼３の一端部３ｄ側及び第２Ｈ形鋼７の他端部７ｅ側に連結板１０及びボルトとナットを用いて繋げられ、ダンパー本体部１の軸線Ｏ１方向外側に互いの軸線Ｏ１を同軸上に配した状態で延設されている。この接合部２は、建物の架構の間隔に応じた長さで形成され、ブレースダンパーＡの長さを調整するための長さ調整部材であるとともに、建物の架構に接合するための接合部材（連結部材）として機能する。
【００２８】
上記構成からなるブレースダンパーＡを組み立てる際には、第１Ｈ形鋼３を所定位置に配置し、粘弾性体６を介装しながら、第１Ｈ形鋼３の上下のフランジ３ｂ、３ｃの間に鋼板４や溝形鋼５を挿入することにより、容易に鋼板４や溝形鋼５の位置決めが行える。また、第２Ｈ形鋼７を一対の鋼板４（４ａ、４ｂ）の他端部４ｄ側の間に挿入することにより、容易に第２Ｈ形鋼７の位置決めも行える。そして、鋼板４、溝形鋼５、第２Ｈ形鋼７を位置決めするとともに、溝形鋼５を第１Ｈ形鋼３に、第２Ｈ形鋼７を鋼板４の他端部４ｄ側にそれぞれボルトとナットで繋げるという簡易な操作で、ダンパー本体部１（ブレースダンパーＡ）の組立作業が完了する。
【００２９】
また、建物の架構内にブレースダンパーＡを設置する際には、上記のように組み立てた複数のダンパー本体部１をそれぞれ、ブレースダンパーＡを設置する階に搬入する。そして、ブレースダンパーＡを設置する階の階高やスパン、ひいてはブレースダンパーＡを接合する建物の架構の間隔に応じた長さの接合部２（Ｈ形鋼、長さ調整部材）をダンパー本体部１に繋げることによって、容易にブレースダンパーＡの長さの調整が行える。このようにダンパー本体部１に接合部２を繋げて容易にブレースダンパーＡの長さが調整できるため、建物の架構の間隔が異なる場合であっても、接合部２を架構に接合してブレースダンパーＡの設置作業が容易に行える。
【００３０】
また、本実施形態のブレースダンパーＡは、ダンパー本体部１が鋼板４及び溝形鋼５を第１Ｈ形鋼３と第２Ｈ形鋼７の上下のフランジ３ｂ、３ｃ、７ｂ、７ｃの間に収めて構成されているため、且つ接合部２がダンパー本体部１の主要部材である第１Ｈ形鋼３と第２Ｈ形鋼７と同じＨ形鋼を用いて構成されているため、従来のブレースダンパーと比較して見た目がすっきりとして見栄えがよい。このため、本実施形態のブレースダンパーＡを建物の架構内に設置した際に、従来のブレースダンパーのように美観を損ねるおそれがない。
【００３１】
一方、このように建物の架構内に設置したブレースダンパーＡは、地震や強風等の外乱によって建物に振動エネルギーが作用し、ブレースダンパーＡを接合した架構が相対変位すると、ダンパー本体部１の両側にそれぞれ繋がる接合部２が架構とともに相対変位する。そして、一方の接合部２に繋がる第１Ｈ形鋼３及び溝形鋼５と、他方の接合部２に繋がる鋼板４とがそれぞれ前記隙間Ｈの範囲内で軸線Ｏ１方向に相対変位する。第１Ｈ形鋼３及び溝形鋼５と鋼板４とがそれぞれ相対変位するとともに、粘弾性体６がせん断変形しながら振動エネルギーを吸収して減衰させる。これにより、建物の揺れが抑えられる。
【００３２】
また、このとき、一対の鋼板４（４ａ、４ｂ）を外側から挟み込むように一対の溝形鋼５（５ａ、５ｂ）が設けられているため、これら一対の溝形鋼５（５ａ、５ｂ）によって鋼板４の座屈変形が防止される。さらに、本実施形態のブレースダンパーＡにおいては、一対の鋼板４（４ａ、４ｂ）の間に第１Ｈ形鋼３が配設され、各鋼板４が溝形鋼５と第１Ｈ形鋼３のウェブ３ａの間に挟み込まれるように配設されている。このため、溝形鋼５に加えて第１Ｈ形鋼３によっても鋼板４の座屈変形が防止されることになり、鋼板４の座屈変形を溝形鋼５でのみ防止する従来のブレースダンパーと比較し、より確実に鋼板４の座屈変形が防止される。すなわち、力学性能が大幅に向上する。
【００３３】
したがって、本実施形態のブレースダンパーＡにおいては、第１Ｈ形鋼３のウェブ３ａを挟み込むように鋼板４と溝形鋼５が設けられているため、溝形鋼５に加えて第１Ｈ形鋼３によっても座屈に対する剛性を確保することが可能になる。これにより、従来のブレースダンパーと比較して確実に力学性能を向上させることが可能になる。
【００３４】
また、ブレースダンパーＡ（ダンパー本体部１）が、鋼板４及び溝形鋼５を第１Ｈ形鋼３の上下のフランジ３ｂ、３ｃの間に収めて構成されているため、組立時に、第１Ｈ形鋼３のフランジ３ｂ、３ｃの間に鋼板４や溝形鋼５を挿入するという簡易な操作で、鋼板４や溝形鋼５の位置決めを行うことができる。さらに、一対の鋼板４（４ａ、４ｂ）の他端部４ｄ側の間にウェブ７ａを挿入するという簡易な操作で、第２Ｈ形鋼７の位置決めを行うことができる。また、Ｈ形鋼（第１Ｈ形鋼３と第２Ｈ形鋼７）を主要部材に用いることで、従来のブレースダンパーと比較して、部材点数を少なくすることができるとともに見栄えをよくすることができる。さらに、接合部２がＨ形鋼を用いて構成されているため、この点からも、従来のブレースダンパーと比較して、部材点数を少なくすることができるとともに見栄えをよくすることができる。これにより、容易にブレースダンパーＡを組み立てることが可能になるとともに、建物の架構内に設置した際に美観を損ねるおそれを解消することが可能になる。
【００３５】
また、ダンパー本体部１の長さを変えずに接合部２（長さ調整部材）を取り付けることによって、建物の架構の間隔に応じて容易にブレースダンパーＡの長さを調整することが可能になる。これにより、ブレースダンパーＡを設置する階の階高やスパン、ひいてはブレースダンパーＡを接合する建物の架構の間隔が異なる場合であっても、ブレースダンパーＡの長さを調整して柔軟に対応することが可能になり、接合部２を架構に接合してブレースダンパーＡを架構内の所定位置に容易に設置することが可能になる。
【００３６】
以上、本発明に係るブレースダンパーの一実施形態について説明したが、本発明は上記の実施形態に限定されるものではなく、その趣旨を逸脱しない範囲で適宜変更可能である。例えば、本実施形態では、ダンパー本体部１の両側（第１Ｈ形鋼３の一端部３ｄ側及び第２Ｈ形鋼７の他端部７ｅ側）にＨ形鋼の接合部２（長さ調整部材）を繋げて、ブレースダンパーＡの長さを調整するものとした。これに対し、ダンパー本体部１の一方の側（第１Ｈ形鋼３の一端部３ｄ側又は第２Ｈ形鋼７の他端部７ｅ側）にのみ接合部２を取り付け、この接合部２と、接合部２が繋げられていない他方の側とをそれぞれ建物の架構に接合して、ブレースダンパーＡを架構内に設置するようにしてもよい。この場合においても、一方の側に架構の間隔に応じて形成した接合部２を設けることによって、ブレースダンパーＡの長さを調整することができ、本実施形態と同様の効果を得ることが可能である。
【００３７】
また、本実施形態では、接合部２（長さ調整部材）と、第１Ｈ形鋼３、第２Ｈ形鋼７とがボルトとナット（高力ボルト接合）で接合されているものとしたが、接合部２と、第１Ｈ形鋼３、第２Ｈ形鋼７は、溶接によって接合されていてもよい。
【００３８】
また、これに関連して、一対の溝形鋼５の一端部５ｃよりも軸線Ｏ１方向外側に延出する第１Ｈ形鋼３の一端部３ｄ側の長さ（第１Ｈ形鋼３の長さ）、及び／又は一対の鋼板４の他端部４ｄよりも軸線Ｏ１方向外側に延出する第２Ｈ形鋼７の他端部７ｅ側の長さ（第２Ｈ形鋼７の長さ）を調整して、ブレースダンパーＡ（ダンパー本体部１）の長さを調整するようにしてもよい。このように構成しても、建物の架構の間隔に応じてブレースダンパーＡの長さを調整することが可能である。
【図面の簡単な説明】
【００３９】
【図１】本発明の一実施形態に係るブレースダンパーを示す正面図である。
【図２】図１のＸ１−Ｘ１線矢視図である。
【図３】図１のＸ２−Ｘ２線矢視図である。
【図４】図１のＸ３−Ｘ３線矢視図である。
【符号の説明】
【００４０】
１      ダンパー本体部
２      接合部（長さ調整部材）
２ａ    一端部
３      第１Ｈ形鋼
３ａ    ウェブ
３ｂ    フランジ
３ｃ    フランジ
３ｄ    一端部
３ｅ    他端部
４      鋼板
４ａ    一方の鋼板
４ｂ    他方の鋼板
４ｃ    一端部
４ｄ    他端部
５      溝形鋼（補剛部材）
５ａ    一方の溝形鋼
５ｂ    他方の溝形鋼
５ｃ    一端部
５ｄ    他端部
５ｅ    フランジ部
５ｆ    フランジ部
６      粘弾性体
７      第２Ｈ形鋼
７ａ    ウェブ
７ｂ    フランジ
７ｃ    フランジ
７ｄ    一端部
７ｅ    他端部
８      介装部材
９      介装部材
１０    連結板
Ａ      ブレースダンパー
Ｈ      隙間
【図１】
2010127053.tif 000003
【図２】
2010127053.tif 000004
【図３】
2010127053.tif 000005
【図４】
2010127053.tif 000006